(57)【要約】      （修正有）【課題】雑誌は開くことができても、二次元コードは購買者にだけ読み取り可能になるような二次元コード印刷物を提供する。【解決手段】二次元コード印刷物１０は、雑誌１１の該当頁１２に紐１３で取り付けられている。雑誌の購入者は、購入後に、頁１２から二次元コード印刷物１０を外し、樹脂袋２８を破って台紙２５を取り出し、この台紙２５を硬貨で擦る。すると、二次元コードが出現する。樹脂袋２８に入った状態で硬貨で擦っても、二次元コードは現れない。したがって、購買者だけが二次元コードを読み取ることができる。二次元コードが携帯電話機で読み取られる心配がないので、いわゆる立ち読みが可能であり、雑誌は開くことができる。【選択図】図１
0003144174.tif 000002
【実用新案登録請求の範囲】
【請求項１】
コート原紙の上に塗布が施され、表面の光沢を抑えるように表面が仕上げられ、且つ色が白である白色マットコート台紙に、硬貨より硬い微粉末を含む白色インクで、二次元コードが印刷され、このような二次元コードが透明で且つ密封した樹脂袋に入れられていることを特徴とする二次元コード印刷物。
【請求項２】
コート原紙の上に塗布が施され、表面の光沢を抑えるように表面が仕上げられ、且つ色が白である白色マットコート台紙に、硬貨より硬い微粉末を含む白色インクで、二次元コードが印刷され、このような二次元コードが透明な樹脂フイルムでカバーされていることを特徴とする二次元コード印刷物。
【請求項３】
コート原紙の上に塗布が施され、表面の光沢を抑えるように表面が仕上げられ、且つ色が白である白色マットコート台紙に、硬貨より硬い微粉末を含む白色インクで、二次元コードが印刷され、前記白色マットコート台紙が折り畳まれる、又は前記白色マットコート台紙が貼り付けられている矩形紙が折り畳まれることで二次元コードが隠されていることを特徴とする二次元コード印刷物。
【請求項４】
前記白色インクには、波長が３００ｎｍ〜４００ｎｍの範囲の紫外線に反応して白く発光する発光物質が混ぜられていることを特徴とする請求項１〜３のいずれか１記載の二次元コード印刷物。
【請求項５】
前記二次元コードを含み前記白色マットコート台紙に、前記硬貨より軟らかい物質で構成した迷彩用インクにより、迷彩模様が被せられていることを特徴とする請求項１〜４のいずれか１項記載の二次元コード印刷物。
【請求項６】
前記発光物質は、バリウムマグネシウムを含む発光材料であり、前記白色インクにおける含有率が、１．０質量％〜２．０質量％であることを特徴とする請求項１〜５のいずれか１記載の二次元コード印刷物。
【考案の詳細な説明】
【技術分野】
【０００１】
本考案は、二次元コード印刷物の改良技術に関する。
【背景技術】
【０００２】
ＱＲコードを読み取ることができるＱＲコード読み取り機能付き携帯電話機（携帯端末）が普及し、この普及に連れて雑誌などの紙媒体にＱＲコードが付されるようになってきた（例えば、特許文献１参照。）。
【特許文献１】特開２００１−３１８８８６公報（図１０）
【０００３】
特許文献１を次図に基づいて説明する。
図９は従来の雑誌の紙面を説明する図であり、雑誌１００のある頁の紙面１０１には、文字、写真、図などの印刷情報１０２が示されていると共に、右下隅にＱＲコード１０３が付されている。
【０００４】
読者は、ＱＲコード１０３をＱＲコード読み取り機で読み取ると、紙面１０１に関連する情報を記録することができる。
ＱＲコード１０３は、利用促進や販売促進などが目的であれば、宣伝効果が期待できる。
【０００５】
ところで、一部の雑誌では、付録を付けて購買を促すことが行われる。しかし、付録を付けると雑誌の嵩が増し、運送費が高騰化する。対策として、付録をＱＲコードの形態に置き換えることが近年研究されている。例えば、雑誌の購入者にだけ、会員番号、サービス番号、その他の特別の情報を、ＱＲコードで提供する。ＱＲコードであれば雑誌の嵩が増す心配はなく、運送費の高騰化を防ぐことができる。
【０００６】
ただし、いわゆる立ち読み者が、携帯電話機でＱＲコードを読み取ることがある。これでは、購買を促すことはできない。そこで、雑誌の販売者は、雑誌が開かないようにテープなどで封印する処置を講じる。このテープなどによる封印は広く採用されているが、雑誌の中身が分からないため、購買促進の面で問題がある。
【０００７】
そこで、雑誌は開くことができ、且つＱＲコードが購買者にだけ読み取り可能になるような技術を提供することが求められる。
【考案の開示】
【考案が解決しようとする課題】
【０００８】
本考案は、雑誌は開くことができ、且つＱＲコード（以下、二次元コードと言う）が購買者にだけ読み取り可能になるような技術を提供することを課題とする。
【課題を解決するための手段】
【０００９】
請求項１に係る考案では、コート原紙の上に塗布が施され、表面の光沢を抑えるように表面が仕上げられ、且つ色が白である白色マットコート台紙に、硬貨より硬い微粉末を含む白色インクで、二次元コードが印刷され、このような二次元コードが透明で且つ密封した樹脂袋に入れられていることを特徴とする。
【００１０】
請求項２に係る考案では、コート原紙の上に塗布が施され、表面の光沢を抑えるように表面が仕上げられ、且つ色が白である白色マットコート台紙に、硬貨より硬い微粉末を含む白色インクで、二次元コードが印刷され、このような二次元コードが透明な樹脂フイルムでカバーされていることを特徴とする。
【００１１】
請求項３に係る考案では、コート原紙の上に塗布が施され、表面の光沢を抑えるように表面が仕上げられ、且つ色が白である白色マットコート台紙に、硬貨より硬い微粉末を含む白色インクで、二次元コードが印刷され、前記白色マットコート台紙が折り畳まれる、又は前記白色マットコート台紙が貼り付けられている矩形紙が折り畳まれることで二次元コードが隠されていることを特徴とする。
【００１２】
請求項４に係る考案では、前記白色インクには、波長が３００ｎｍ〜４００ｎｍの範囲の紫外線に反応して白く発光する発光物質が混ぜられていることを特徴とする。
【００１３】
請求項５に係る考案は、二次元コードを含み前記白色マットコート台紙に、硬貨より軟らかい物質で構成した迷彩用インクにより、迷彩模様が被せられていることを特徴とする。
【００１４】
請求項６に係る考案では、発光物質は、バリウムマグネシウムを含む発光材料であり、白色インクにおける含有率が、１．０質量％〜２．０質量％であることを特徴とする。
【考案の効果】
【００１５】
請求項１に係る考案では、透明袋で遮断しているため、硬貨が二次元コードに接触しない。このため、透明袋の上から硬貨で二次元コードを擦っても、硬貨から微細な粉が発生することがなく、二次元コードが浮かび上がることはない。
【００１６】
透明袋から取り出した後に、二次元コードを硬貨で擦れば二次元コードが浮かびあがる。したがって、購買者だけが二次元コードを発現させることができる。
立ち見の状態では、二次元コードを発現させることができないため、雑誌は自由に開くことができる。
【００１７】
請求項２に係る考案では、樹脂フィルムで遮断しているため、硬貨が二次元コードに接触しない。このため、樹脂フィルムの上から硬貨で二次元コードを擦っても、硬貨から微細な粉が発生することがなく、二次元コードが浮かび上がることはない。
【００１８】
樹脂フィルムを剥がした後に、二次元コードを硬貨で擦れば二次元コードが浮かびあがる。したがって、購買者だけが二次元コードを発現させることができる。
立ち見の状態では、二次元コードを発現させることができないため、雑誌は自由に開くことができる。
【００１９】
請求項３に係る考案では、折り畳まれて隠されているため、硬貨が二次元コードに接触しない。このため、台紙又は矩形紙の上から硬貨で二次元コードを擦っても、硬貨から微細な粉が発生することがなく、二次元コードが浮かび上がることはない。
【００２０】
封書を展開した後に、二次元コードを硬貨で擦れば二次元コードが浮かびあがる。したがって、ダイレクトメールなどの受領者だけが二次元コードを発現させることができる。
【００２１】
請求項４に係る考案では、白色インクには、波長が３００ｎｍ〜４００ｎｍの範囲の紫外線に反応して白く発光する発光物質が混ぜられているため、ブラックライト照射時に、台紙のみならず二次元コードを発光させることができる。台紙と二次元コードが同じように光るため、二次元コードを見えなくすることができる。
【００２２】
請求項５に係る考案では、二次元コード及びこの二次元コードの周囲に、迷彩模様を被せた。台紙と白色インクでは、同じ白色にすることは必須である。そのためには、二次元コードが台紙と同じ特性を発揮するように白色インクを調整する必要があり、高度な印刷技術が要求される。
【００２３】
この点、本考案のように、迷彩模様を施すと、二次元コードが更に見えにくくなるため、台紙と二次元コードの特性に若干の差異が許容される。若干の差異が許容されれば、白色インクの調整は容易となり、印刷コストを下げることができる。
なお、迷彩模様に硬い微粒子が含まれていないので、迷彩模様で硬貨が削られることは無く、この結果、迷彩模様に銅の微粉が付着する心配もない。
【００２４】
請求項６に係る考案では、発光物質は、バリウムマグネシウムを含む発光材料であり、白色インクにおける含有率が、１．０質量％〜２．０質量％であることを特徴とする。
含有率が、１．０質量％未満になると二次元コードの発光が弱まり、二次元コードが顕在化する心配がでてくる。また、含有率が、２．０質量％を超えると二次元コードの発光が台紙より強くなりすぎ、二次元コードが顕在化する心配がでてくる。
【考案を実施するための最良の形態】
【００２５】
本考案を実施するための最良の形態を添付図に基づいて以下に説明する。
なお、請求項１の形態は図１で説明し、請求項２の形態は図６で説明し、請求項３の形態は図７で説明する。
図１は本考案に係る二次元コード印刷物の説明図であり、二次元コード印刷物１０は、例えば、雑誌１１の該当頁１２に紐１３を介して取り付けられている。紐１３は接着に代えてもよい。
【００２６】
図２は本考案に係る二次元コード印刷物の作り方を説明する図であり、（ａ）に示すように、容器２０に、白色インク２１を入れる。白色インク２１には、酸化チタン（ＴｉＯ２）などの微粒子が混合されている。そして、このような白色インク２１へ、発光物質２２を混入し、へら２３で十分に撹拌する。好ましい混入量は後述する。
【００２７】
なお、発光物質２２及び後述の缶２４は、請求項１〜３では、省くことができる。発光物質２２等の有用性は、後述の図５で説明する。
【００２８】
発光物質２２は、硫化亜鉛、銅、アルミン酸ストロンチウム（ＳｒＡｌ２Ｏ４）、バリウムマグネシウムを含む白色の発光材料（蛍光材料、燐光材料、蓄光材料とも言われる。）が、好適である。アルミン酸ストロンチウムは、放射線を照射しない安全な物質と言われている。
【００２９】
蓄光材料は、文字通り、光を蓄えて、暗闇で一定時間発光する材料を意味する。蛍光材料は光の刺激に反応して蛍光を発光する材料を意味し、熱を伴わない発光であるため、冷光を発する材料と言われている。また、燐光材料は、蛍光材料と殆ど同じであるが、刺激光を除いても数分〜数時間発光する材料を指す。
蛍光材料、燐光材料、蓄光材料とも特性、成分に重複する点が多く、刺激光に反応して発光する点は共通するため、これらをまとめて発光材料（発光物質）と呼ぶことにする。
【００３０】
発光物質２２は、例えば根本特殊化学株式会社製「蛍光体燐光体」品名Ｄ１１２０、Ｄ１１６４、Ｄ１１８０のブレンド粉末が好適である。品名Ｄ１１２０は発光色がレッドであり、品名Ｄ１１６４は発光色がグリーンであり、品名Ｄ１１８０は発光色がブルーであるため、同量を混合することで白色発光の発光材料を得ることができる。
【００３１】
または、ニス（７０質量％）に白色発光材料（３０質量％）を混合し、缶２４に納めた「冷光インク」（大日本インキ化学工業株式会社「冷光インキ  メジューム  Ｎｏ．３」）を、白色インク２１へ混合してもよい。缶２４は、オフセット用インクとして市販されており、入手、保管、取扱いが共に容易である。
【００３２】
次に、（ｂ）に示すような白色マットコート台紙２５を準備する。白色マットコート台紙２５は印刷用紙の一種であり、コート原紙の上に塗布が施され、表面の光沢を抑えるように表面が仕上げられ、且つ色が白である台紙である。このような白色マットコート台紙２５としては、北越製紙製「ミューマット」、日本製紙製「ピズムマット」、日本製紙製「ユーライト」が挙げられる。
このような白色マットコート台紙２５に、（ａ）で準備した白色インク２１（酸化チタン微粉及び発光物質入り）を用いて、二次元コード２６を印刷する。この二次元コード２６は台紙２５と同じ白色であるから、見えない。
【００３３】
好ましくは、（ｃ）に示すように、二次元コード２６及びこの二次元コード２６の周囲に、硬貨より軟らかい物質で構成した迷彩用インクを用いて、迷彩模様２７を被せる。
次に、（ｄ）に示すように、ポリエチレンなどの透明な樹脂袋２８に入れて、融着又は接着により口を封じ、紐１３を取り付ける。これで、二次元コード印刷物１０を得ることができた。
【００３４】
二次元コード２６を発現させる手順を次に説明する。
図１において、雑誌の購入者は、購入後に、頁１２から二次元コード印刷物１０を外し、樹脂袋２８を破って台紙２５を取り出す。以降の手順は次図に基づいて説明する。
【００３５】
図３は本考案に係る二次元コード印刷物を発現させるときの説明図であり、（ａ）に示すように、迷彩模様２７を硬貨２９で擦る。硬貨２９が１０円銅貨であれば、モース硬度は約３である。一方、酸化チタンのモース硬度は約６である。酸化チタンに硬貨２９が接触すると、軟らかい方の硬貨２９が削られ、銅の微粉末が発生する。
すなわち、硬貨２９で、迷彩模様２７を擦ると、二次元コードに含まれている硬い酸化チタンの微粒子が迷彩模様２７を突き破って表面に現れる。この酸化チタンに硬貨２９が接触して、銅の微粉末が発生する。
【００３６】
すると、（ａ）のｂ−ｂ線断面図である（ｂ）に示すように、銅の微粉末３１が二次元コード２６の上面に付着する。この結果、（ｃ）に示すように、迷彩模様２７中に二次元コード２６が発現する（見えてくる）。
【００３７】
図４は樹脂袋の作用図であり、樹脂袋２８に入ったままの迷彩模様２７を硬貨２９で擦っても、樹脂袋２８が邪魔になって、硬貨２９が迷彩模様２７に接触しない。接触しなければ、硬貨２９の微粉末が発生しない。この結果、二次元コードは現れない。
仮に、立ち読み者が隙を見て、硬貨２９で樹脂袋２８を擦っても、二次元コードが現れない。結果、立ち読み者は二次元コードを携帯電話機で読み取ることができない。
【００３８】
ところで、現在は、可視光線を利用したコードリーダが主流であるが、紫外線を利用したコードリーダも実用に供される可能性がある。紫外線は見えないものや見えにくいものを浮かび上がらせる作用を発揮することが知られている。図４で、硬貨２９で擦る代わりに紫外線カメラで二次元コードを撮影することが可能になれば、対策を講じる必要がある。この場合に備えて本考案では紫外線対策も講じている。
【００３９】
紫外線対策について説明する。
図５は本考案での紫外線対策を説明する図であり、（ａ）に示す台紙２５は、図２（ｃ）に示すものと同一物である。そして、ブラックライト３２から紫外線３３を、台紙２５に照射する。ブラックライト３２は、ＪＩＳ−Ｚ  ２３４３に規定される紫外線照射装置に相当し、同ＪＩＳでは紫外線の波長は３２０ｎｍ〜４００ｎｍと規定されている。
【００４０】
３２０ｎｍ〜４００ｎｍの波長の紫外線を照射すると、（ｂ）の実施例において、矢印（１）、（１）のように台紙２５が発光する。また、矢印（２）のように二次元コード２６が発光する。二次元コード２６に含まれる発光物質２２が紫外線に励起されて発光するからである。
【００４１】
発光物質２２が多く含まれているほど、発光量が大きくなる。そして、発光量の大小により、矢印（１）と矢印（２）の発光度合に差が生じることが予想される。そこで、本考案者らは、発光物質２２の適正な含有量を調べた。
【００４２】
実験１〜実験５：
○準備：
・白色マットコート台紙：北越製紙製「ミューマット」
・白色インク：酸化チタン微粒子入り印刷用白色インク
・発光物質：冷光インク（大日本インキ化学工業株式会社「冷光インキ  メジューム  Ｎｏ．３」）。なお、この冷光インキ  メジューム  Ｎｏ．３は、根本特殊化学株式会社製「蛍光体燐光体」品名Ｄ１１２０、Ｄ１１６４、Ｄ１１８０のブレンド粉末が３０質量％含まれ、残部が透明なニスで構成されている。
【００４３】
○実験１：白色インク９８０ｇに冷光インク２０ｇを混合した。このインクで白色マットコート台紙に二次元コードを印刷した。
○実験２：白色インク９７０ｇに冷光インク３０ｇを混合した。このインクで白色マットコート台紙に二次元コードを印刷した。
○実験３：白色インク９６０ｇに冷光インク４０ｇを混合した。このインクで白色マットコート台紙に二次元コードを印刷した。
【００４４】
○実験４：白色インク９４０ｇに冷光インク６０ｇを混合した。このインクで白色マットコート台紙に二次元コードを印刷した。
○実験５：白色インク９２０ｇに冷光インク８０ｇを混合した。このインクで白色マットコート台紙に二次元コードを印刷した。
印刷物にブラックライトで、３００ｎｍ〜４００ｎｍの範囲の紫外線を照射した。この結果を次表で説明する。
【００４５】
【表１】
0003144174.tif 000003
【００４６】
表中、［ｂ／ａ＋ｂ］は、白色インクと冷光インクとの合計に対する、冷光インクの割合をパーセント（質量％）で表記した。
冷光インクの含有率が２％である実験１では、ブラックライトの照射により、暗い二次元コードが顕在化した。台紙の発光に対して、二次元コードの発光が弱いためである。二次元コードが見えるので、評価は×である。
【００４７】
冷光インクの含有率が３％である実験２では、ブラックライトの照射によっても、二次元コードは見えなかった。台紙の発光と二次元コードの発光とがほぼ同じであると考えられる。二次元コードが見えない。しかも、スクラッチ後の二次元コードは鮮明であったので、評価は○である。
冷光インクの含有率が４％である実験３と、冷光インクの含有率が６％である実験４とは、二次元コードが見えない。しかも、スクラッチ後の二次元コードは鮮明であったので、評価は○である。
【００４８】
冷光インクの含有率が８％である実験５では、ブラックライトの照射により、二次元コードは、見えない。しかし、スクラッチ後の二次元コードが薄く、不鮮明であった。そのため、評価は×である。この理由は次の通りである。冷光インクには大量のニスが含まれている。冷光インクを入れすぎると、白色インクに過剰のニスが含まれることになる。ニスが過剰に含まれると二次元コード中の硬質な微粒子の削り作用よりも、ニスの滑り作用が勝り、結果として、硬貨から剥がれる微粒子が量が不足する。そのため、二次元コードが薄く、不鮮明になる。
以上から、冷光インクは、３質量％〜６質量％の範囲で白色インクに混入することが望ましいことが分かった。
【００４９】
冷光インクは、缶入りで販売されているため、入手、保管、取扱いが容易である。しかし、白色インクに直接、発光物質を混入することは差し支えない。そこで、以下の追加実験を行った。
【００５０】
実験６〜実験１０：
○準備：
・白色マットコート台紙：北越製紙製「ミューマット」
・白色インク：酸化チタン微粒子入り印刷用白色インク
・発光物質：根本特殊化学株式会社製「蛍光体燐光体」品名Ｄ１１２０、Ｄ１１６４、Ｄ１１８０のブレンド粉末
【００５１】
○実験６：白色インク９９３ｇに発光物質７ｇを混合した。このインクで白色マットコート台紙に二次元コードを印刷した。
○実験７：白色インク９９０ｇに発光物質１０ｇを混合した。このインクで白色マットコート台紙に二次元コードを印刷した。
○実験８：白色インク９８７ｇに発光物質１３ｇを混合した。このインクで白色マットコート台紙に二次元コードを印刷した。
【００５２】
○実験９：白色インク９８０ｇに発光物質２０ｇを混合した。このインクで白色マットコート台紙に二次元コードを印刷した。
○実験１０：白色インク９７３ｇに発光物質２７ｇを混合した。このインクで白色マットコート台紙に二次元コードを印刷した。
印刷物にブラックライトで、３００ｎｍ〜４００ｎｍの範囲の紫外線を照射した。この結果を次表で説明する。
【００５３】
【表２】
0003144174.tif 000004
【００５４】
表中、［ｄ／ｃ＋ｄ］は、白色インクと発光物質との合計に対する、発光物質の割合をパーセント（質量％）で表記した。
発光物質の含有率が０．７％である実験６では、ブラックライトの照射により、暗い二次元コードが顕在化した。台紙の発光に対して、二次元コードの発光が弱いためである。二次元コードが見えるので、評価は×である。
【００５５】
発光物質の含有率が１．０％である実験７では、ブラックライトの照射によっても、二次元コードは見えなかった。台紙の発光と二次元コードの発光とがほぼ同じであると考えられる。二次元コードが見えないので、評価は○である。
発光物質の含有率が１．３％である実験８と、発光物質の含有率が２．０％である実験９とは、二次元コードが見えないので、評価は○である。
【００５６】
発光物質の含有率が２．７％である実験１０では、ブラックライトの照射により、明るい二次元コードが浮かび上がった。台紙の発光に対して、二次元コードの発光が強いためである。二次元コードが見えるので、評価は×である。
以上から、発光物質は、１．０質量％〜２．０質量％の範囲で白色インクに混入することが望ましいことが分かった。
【００５７】
以上図５（ｂ）について説明した。次に、この実施例に対する比較例を（ｃ）で説明する。
（ｃ）では、発光物質を含まない白色インクで二次元コード１１１を、台紙１１０に印刷し、その上から迷彩模様１１７を被せた。そこへ、紫外線を照射したところ、台紙１１０は矢印（３）、（３）のように発光した。一方、二次元コード１１１は発光しなかった。この結果、二次元コード１１１が黒に近くなり、二次元コード１１１が顕在化した（見えてしまった）。このように、（ｂ）で二次元コード２６に混入した発光物質２２の効果は著しいことが、判明した。
【００５８】
次に、迷彩模様の効果を確認する。
図６は迷彩模様の作用を説明する図であり、（ａ）に示すように、台紙２５に印刷した二次元コード２６は、自然光、照明光、紫外線のいずれにおいても顕在化しなかった（見えなかった）。ただし、そのためには、二次元コード２６が台紙２５と同じ特性を発揮するように白色インク２１を調整する必要があり、高度な印刷技術が要求される。
【００５９】
この点、（ｂ）に示すように、迷彩模様２７を施すと、二次元コード２６が更に見えにくくなるため、台紙２５と二次元コード２６の特性に若干の差異が許容される。若干の差異が許容されれば、白色インクの調整は容易となり、印刷コストを下げることができる。
【００６０】
本考案に係る別実施例を次に説明する。
図７は図１の別実施例を説明する図であり、二次元コード印刷物１０は、雑誌１１の該当頁１２に樹脂フィルム３５でカバーされると共に固定されている。
具体的には、二次元コード２６が印刷されている、切手大の白色マットコート台紙２５を頁１２に載せ、上から糊の付いた樹脂フイルム３５で覆う。又は、頁１２自体を白色マットコート紙で構成し、この上に二次元コード２６を直接印刷し、樹脂フィルム３５でカバーしてもよい。
【００６１】
硬貨で擦って二次元コードを発現しようとしても、樹脂フィルム３５がそれを妨げる。雑誌１１の購入者は、頁１４から樹脂フィルム３５を剥がし、硬貨で擦って二次元コード２６を発現させればよい。
【００６２】
図８はさらなる別実施例を説明する図であり、（ａ）に示すように、横長の白色マットコート台紙２５の中央下部に二次元コード２６を印刷する。この二次元コード２６は白色であるため、見えないが、硬貨で擦ると発現する。
【００６３】
硬貨で擦る前に、谷折り線３６で折り、次に谷折り線３７で折る。すると、（ｂ）に示すようなダイレクトメール３８が出来上がる。
メールの受取人は、ダイレクトメール３８を（ａ）に示すように展開し、硬貨で擦ることにより、二次元コード２６を発現させる。受取人は、コードリーダで読み込んだら、ダイレクトメール３８を裁断処理又は焼却処理することで、秘密の漏洩を防ぐことができる。
【００６４】
仮に、二次元コード２６が、通常の印刷形態であって常時見えるものであれば、他人がダイレクトメール３８を展開して二次元コード２６を盗み読みし、次に、谷折り線３６で折り、次に谷折り線３７で折って、（ｂ）の形態にすることが可能となる。すなわち、盗用される可能性がある。
本考案では、二次元コード２６が二重に保護されているため、その心配はない。
【００６５】
または、図８（ａ）において、符号２５を封書用の矩形紙に置き換え、符号２６を、図２（ｃ）で説明した台紙２５（二次元コード２６と迷彩模様２７が施されている。）に置き換えてもよい。この場合は、切手状の台紙２５を矩形紙の中央下に貼り付け、谷折り線３６、３７で折り畳めばよい。
【００６６】
尚、二次元コード２６に、バーコードに代表される一次元情報を含めても良い。
本考案の二次元コード印刷物は、秘密性が高いため、雑誌、ダイレクトメールの他、銀行や証券会社が顧客に通知する、暗証番号を記載した文書にも採用できる。
【００６７】
また、硬い微粒子は、酸化チタンの他、アルミナ（Ａｌ２Ｏ３）、シリカ（ＳｉＯ２）など酸化物系セラミックスの粉末が使用可能である。
【００６８】
さらには、白色インクに対する発光物質の含有率は、白色インクの組成や発光材料の組成により変化するため、請求項１及び２では、発光物質の含有率は、１．０質量％以下又は２．０質量％以上に設定することも可能である。
【産業上の利用可能性】
【００６９】
本考案は雑誌の付録に供する二次元コード印刷物に好適である。
【図面の簡単な説明】
【００７０】
【図１】本考案に係る二次元コード印刷物の説明図である。
【図２】本考案に係る二次元コード印刷物の作り方を説明する図である。
【図３】本考案に係る二次元コード印刷物を発現させるときの説明図である。
【図４】樹脂袋の作用図である。
【図５】本考案での紫外線対策を説明する図である。
【図６】迷彩模様の作用を説明する図である。
【図７】図１の別実施例を説明する図である。
【図８】さらなる別実施例を説明する図である。
【図９】従来の雑誌の紙面を説明する図である。
【符号の説明】
【００７１】
１０…二次元コード印刷物、１１…雑誌、２１…白色インク、２２…発光物質、２５…白色マットコート紙、２６…二次元コード、２７…迷彩模様、２８…樹脂袋、２９…硬貨、３３…紫外線、３５…樹脂フィルム、３６、３７…谷折り線。
【図１】
0003144174.tif 000005
【図２】
0003144174.tif 000006
【図３】
0003144174.tif 000007
【図４】
0003144174.tif 000008
【図５】
0003144174.tif 000009
【図６】
0003144174.tif 000010
【図７】
0003144174.tif 000011
【図８】
0003144174.tif 000012
【図９】
0003144174.tif 000013
【手続補正書】
【提出日】平成20年6月5日(2008.6.5)
【手続補正１】
【補正対象書類名】明細書
【補正対象項目名】０００２
【補正方法】変更
【補正の内容】
【０００２】  ＱＲコード（登録商標）を読み取ることができるＱＲコード（登録商標）読み取り機能付き携帯電話機（携帯端末）が普及し、この普及に連れて雑誌などの紙媒体にＱＲコード（登録商標）が付されるようになってきた（例えば、特許文献１参照。）。【特許文献１】特開２００１−３１８８８６公報（図１０）
【手続補正２】
【補正対象書類名】明細書
【補正対象項目名】０００３
【補正方法】変更
【補正の内容】
【０００３】  特許文献１を次図に基づいて説明する。  図９は従来の雑誌の紙面を説明する図であり、雑誌１００のある頁の紙面１０１には、文字、写真、図などの印刷情報１０２が示されていると共に、右下隅にＱＲコード（登録商標）１０３が付されている。
【手続補正３】
【補正対象書類名】明細書
【補正対象項目名】０００４
【補正方法】変更
【補正の内容】
【０００４】  読者は、ＱＲコード（登録商標）１０３をＱＲコード（登録商標）読み取り機で読み取ると、紙面１０１に関連する情報を記録することができる。  ＱＲコード（登録商標）１０３は、利用促進や販売促進などが目的であれば、宣伝効果が期待できる。
【手続補正４】
【補正対象書類名】明細書
【補正対象項目名】０００５
【補正方法】変更
【補正の内容】
【０００５】  ところで、一部の雑誌では、付録を付けて購買を促すことが行われる。しかし、付録を付けると雑誌の嵩が増し、運送費が高騰化する。対策として、付録をＱＲコード（登録商標）の形態に置き換えることが近年研究されている。例えば、雑誌の購入者にだけ、会員番号、サービス番号、その他の特別の情報を、ＱＲコード（登録商標）で提供する。ＱＲコード（登録商標）であれば雑誌の嵩が増す心配はなく、運送費の高騰化を防ぐことができる。
【手続補正５】
【補正対象書類名】明細書
【補正対象項目名】０００６
【補正方法】変更
【補正の内容】
【０００６】  ただし、いわゆる立ち読み者が、携帯電話機でＱＲコード（登録商標）を読み取ることがある。これでは、購買を促すことはできない。そこで、雑誌の販売者は、雑誌が開かないようにテープなどで封印する処置を講じる。このテープなどによる封印は広く採用されているが、雑誌の中身が分からないため、購買促進の面で問題がある。
【手続補正６】
【補正対象書類名】明細書
【補正対象項目名】０００７
【補正方法】変更
【補正の内容】
【０００７】  そこで、雑誌は開くことができ、且つＱＲコード（登録商標）が購買者にだけ読み取り可能になるような技術を提供することが求められる。
【手続補正７】
【補正対象書類名】明細書
【補正対象項目名】０００８
【補正方法】変更
【補正の内容】
【０００８】  本考案は、雑誌は開くことができ、且つＱＲコード（登録商標）（以下、二次元コードと言う）が購買者にだけ読み取り可能になるような技術を提供することを課題とする。